【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
電圧が印加されることでミストを発生する放電電極と、前記放電電極に電圧を印加する電圧印加手段と、を有する霧化装置と、
前記霧化装置を収納する凹部が設けられた仕切壁を有する第１の貯蔵室と、を備え、
前記霧化装置の少なくとも一部あるいは全部を前記凹部に収納して、前記放電電極にミストを発生させ、
前記凹部内のミストを風路を介して前記第１の貯蔵室とは異なる第２の貯蔵室に運ぶようにしたことを特徴とする冷蔵庫。
【請求項２】
前記第２の貯蔵室に設けられた庫内棚と、
前記第２の貯蔵室に設けられ、前記第２の貯蔵室の開閉を行う開閉扉と、
前記第２の貯蔵室の前面側に設けられ、前記開閉扉が開放されたときに前記第２の貯蔵室内を照射する貯蔵室内照明と、を備え、
前記貯蔵室内照明がＬＥＤであり、前記ＬＥＤが前記庫内棚の前縁よりも前側に設けられ、前記放電電極で生成されたミストが前記第２の貯蔵室の背面から供給されることを特徴とする請求項１または請求項２に記載の冷蔵庫。
【請求項３】
前記仕切壁が、前記第１の貯蔵室と前記第２の貯蔵室とを仕切る仕切壁、あるいは前記第１の貯蔵室と前記第１の貯蔵室とは異なる第３の貯蔵室とを仕切る仕切壁であることを特徴とする請求項１または請求項２に記載の冷蔵庫。
【請求項４】
、
前記凹部に冷気を取り込む入口冷気風路と前記凹部でミストが混合された冷気を前記第２の貯蔵室に供給する出口冷気風路とを備え、前記風路が前記出口冷気風路であることを特徴とする請求項１乃至請求項３のいずれかに記載の冷蔵庫。
【請求項５】
前記霧化装置が前記第１の貯蔵室の上部に設けられ、前記第１の貯蔵室へ前記ミストを重力により供給するようにしたことを特徴とする請求項１乃至請求項４のいずれかに記載の冷蔵庫。
【請求項６】
前記風路が、前記第１の貯蔵室を冷却して温度の高くなった冷気が流れる風路であることを特徴とする請求項１乃至請求項５のいずれかに記載の冷蔵庫。
【請求項７】
前記凹部に収納された前記霧化装置には、カバーが設けられ、前記霧化装置が前記カバーと一体に形成されていることを特徴とする請求項１乃至請求６のいずれかに記載の冷蔵庫。
【請求項８】
前記霧化装置が前記第１の貯蔵室側から取り外せるようにしたことを特徴とする請求項１乃至請求７のいずれかに記載の冷蔵庫。
【請求項９】
前記第１の貯蔵室に対して前記仕切壁の背面に設けられ、あるいは前記仕切壁に設けられた前記凹部の側方に設けられ、冷気が流れる冷却風路を備えたことを特徴とする請求項１乃至請求項８のいずれかに記載の冷蔵庫。
【請求項１０】
前記凹部内に収納した前記霧化装置の前記放熱部を前記冷却風路側に配置して冷却することを特徴とする請求項９に記載の冷蔵庫。
【請求項１１】
前記霧化装置が収納された凹部にカバーを設け、前記カバーに指が挿入できない程度の１つあるいは複数の開口部が設けられ、前記開口部より前記第１の貯蔵室に前記ミストを供給するようにしたことを特徴とする請求項１乃至請求項６のいずれかに記載の冷蔵庫。
【請求項１２】
前記第２の貯蔵室にミスト噴霧口が設けられたミスト噴霧用カバーを設け、前記ミスト噴霧口より前記第２の貯蔵室にミストを供給するようにしたことを特徴とする請求項１乃至請求項１１のいずれかに記載の冷蔵庫。
【請求項１３】
前記霧化装置は、前記放電電極が前記放熱部と一体に形成されていることを特徴とする請求項１乃至請求項１２のいずれかに記載の冷蔵庫。
【請求項１４】
前記霧化装置は、吸熱部と、前記吸熱部と前記放熱部とを接続する熱伝導部とを備え、
前記熱伝導部は前記吸熱部と前記放熱部とが別体で構成され、
前記放熱部と前記吸熱部との間に前記熱伝導部が挟みこまれて一体に形成されていることを特徴とする請求項１３に記載の冷蔵庫。
【請求項１５】
前記貯蔵室の前面開口部を覆うように設けられている開閉扉に設けられた操作パネルを備え、
前記操作パネルは、前記霧化装置を動作させるミスト噴霧スイッチを有し、
前記ミスト噴霧スイッチが操作された場合に、所定時間だけ、あるいは、ユーザが設定した時間だけ、前記霧化装置が動作することを特徴とする請求項１乃至請求項１４のいずれかに記載の冷蔵庫。
【請求項１６】
前記第１の貯蔵室あるいは前記第２の貯蔵室には開閉扉が設けられており、前記開閉扉の開または閉と連動して前記霧化装置を動作または停止させるか、あるいは、前記開閉扉の開または閉と連動して所定時間だけ前記霧化装置を動作させるようにしたことを特徴とする請求項１乃至１５のいずれかに記載の冷蔵庫。
【請求項１７】
前記冷却器で生成された冷気を前記第１の貯蔵室あるいは前記第２の貯蔵室に送風する冷気循環ファンを備え、前記冷気循環ファンのオンまたはオフと連動して前記霧化装置を動作または停止させるようにしたことを特徴とする請求項１乃至請求項１６のいずれかに記載の冷蔵庫。
【請求項１８】
前記第２の貯蔵室に設けられ、前記第２の貯蔵室の開閉を行う開閉扉と、
前記第２の貯蔵室に設けられ、前記開閉扉が開放されたときに前記霧化装置が動作中かどうかを目視にて視認させる視認手段を備えたことを特徴とする請求項１に記載の冷蔵庫。
【請求項１９】
前記視認手段が霧化装置照明であり、前記霧化装置照明を前記貯蔵室内照明と異なる色にしたことを特徴とする請求項１８に記載の冷蔵庫。
【請求項２０】
前記貯蔵室内照明を前記貯蔵室内の側面に設け、前記霧化装置照明を前記貯蔵室内の背面に設けるようにしたことを特徴とする請求項１９に記載の冷蔵庫。
【請求項２１】
前記貯蔵室内照明を白色ＬＥＤとし、前記霧化装置照明を赤色又は青色又は緑色又は黄色又はオレンジ色のＬＥＤとしたことを特徴とする請求項１９または請求項２０に記載の冷蔵庫。
【請求項２２】
前記第２の貯蔵室は、前記霧化装置が動作中のときに点灯する霧化装置照明を備え、
前記ミスト噴霧用カバーの少なくとも一部を、内部の光を透過できる色と厚さの樹脂材料で形成し、
前記霧化装置照明を点灯することにより、前記ミスト噴霧用カバーの少なくとも一部を前記ミスト噴霧用カバーの色で発光させることを特徴とする請求項１２に記載の冷蔵庫。
【請求項２３】
前記第２の貯蔵室は、前記霧化装置が動作中のときに点灯する霧化装置照明を備え、
前記ミスト噴霧用カバーの少なくとも一部を、内部の光が外部より視認できる透明あるいは半透明の樹脂材料で形成し、
前記霧化装置照明を点灯することにより、前記ミスト噴霧用カバーの少なくとも一部を前記静電霧化装置照明の発光色で発光させることを特徴とする請求項１２に記載の冷蔵庫。
【請求項２４】
冷媒に可燃性冷媒を使用した冷凍サイクルを備え、前記霧化装置を前記第１の貯蔵室の上部に設けたことを特徴とする請求項１乃至請求項２３のいずれかに記載の冷蔵庫。
【請求項２５】
前記霧化装置が前記第１の貯蔵室あるいは前記第２の貯蔵室へ冷気を送風する風路の流量を制御する風量調整手段の開または閉と連動して動作または停止するようにしたようにしたことを特徴とする請求項１乃至請求項２４のいずれかに記載の冷蔵庫。
【請求項２６】
前記放電電極に電圧を印加する高電圧印加手段を備え、前記高電圧印加手段を前記放電電極、前記放熱部とともに前記凹部に収納したことを特徴とする請求項１乃至請求項２５のいずれかに記載の冷蔵庫。
【手続補正２】
【補正対象書類名】明細書
【補正対象項目名】００２２
【補正方法】変更
【補正の内容】
【００２２】
本発明の冷蔵庫は、電圧が印加されることでミストを発生する放電電極と、前記放電電極に電圧を印加する電圧印加手段と、を有する霧化装置と、前記霧化装置を収納する凹部が設けられた仕切壁を有する第１の貯蔵室と、を備え、前記霧化装置の少なくとも一部あるいは全部を前記凹部に収納して、前記放電電極にミストを発生させ、前記凹部内のミストを風路を介して前記第１の貯蔵室とは異なる第２の貯蔵室に運ぶようにしたものである。
【手続補正３】
【補正対象書類名】明細書
【補正対象項目名】００２３
【補正方法】変更
【補正の内容】
【００２３】
本発明によれば、霧化装置で生成されたミストを貯蔵室内に供給するためのミスト噴霧部の配置位置の自由度が増し、設計の自由度が向上する。